(57)【要約】      （修正有）【課題】収納物を保存すると共に、意匠上の美観を損なわない装飾装置を提供する。【解決手段】側部１３は、所定の厚さを有する八角形の透明な平板により形成されている。側部１３は、中央部に所定の形状の収納物視認領域、及び、収納物視認領域以外の不透明領域を有している。収納物視認領域は、側部１３に設けられた透明領域として形成され、また、不透明領域は、側部１３の収納物視認領域以外の表面のうち不透明な塗料によってコーティングされた領域として形成される。不透明領域は、接続領域を内包する。このように、接続領域を不透明領域に内包することによって、少なくとも収納部１１と側部１３との接続領域を外部から視認できないようにすることができる。これにより、装飾装置１の意匠上及び外観上の美観を向上させることができる。【選択図】図１
0003146375.tif 000002
【実用新案登録請求の範囲】
【請求項１】
側部、
収納物を収納するための収納空間を有する収納部であって、左右両端に前記側部が位置する収納部、
を有する装飾装置であって、
前記側部は、
前記収納空間に位置する前記収納物を外部から視認するための収納物視認領域、及び、前記収納部を接続する接続領域を有し、
前記接続領域は、
外部から視認できないこと、
を特徴とする装飾装置。
【請求項２】
請求項１に係る装飾装置において、
前記側部は、
前記収納物視認領域以外の領域であって、少なくとも前記接続領域が不透明であること、
を特徴とする装飾装置。
【請求項３】
請求項２に係る装飾装置において、
前記側部は、
前記収納物視認領域が透明であること、
を特徴とする装飾装置。
【請求項４】
請求項２に係る装飾装置において、
前記側部は、
前記収納物視認領域が開口であること、
を特徴とする装飾装置。
【請求項５】
請求項２〜請求項４に係る装飾装置のいずれかにおいて、
前記側部は、
前記収納物視認領域以外の領域が不透明であること、
を特徴とする装飾装置。
【考案の詳細な説明】
【技術分野】
【０００１】
本考案は、装飾装置に関し、特に、収納物を保存すると共に、意匠上の美観を損なわない装飾装置に関する。
【背景技術】
【０００２】
従来の装飾装置の一つであるインテリア用品１００を図６を用いて説明する。インテリア用品１００では、八角形の透明な板１０１の内面になる側に内部に納める装飾品１０４を任意の方法で固定しておく。次に、同一形状の透明の材質からなる板１０２を平行に置き、板１０１に固定した装飾品が内部に納まるように、透明な円筒１０３を板１０１と板１０２それぞれに貼り合せて、内部に装飾品１０４を固定した密閉空間３をつくる。
このように、２枚の板１０１の形は、多角形、四角形、丸型、曲線と直線の組合せなどの多様性を持たせることが出来、それらを組み合わせる事により、数限りなく多様な意匠の容器が出来る。また、円筒１０３の内部空間は密閉されているので、内部に飾る花は汚れないので、開放空間のものより長期に保存することが出来る。
【特許文献１】実登３１２３８４３号公報
【考案の開示】
【考案が解決しようとする課題】
【０００３】
しかしながら、従来のインテリア用品１００には、以下に示す改善すべき点があった。インテリア用品１００における板１０１及び板１０２は、ガラス板等の透明又は半透明の材質により構成されていた。従って、円筒１０３を板１０１及び板１０２に貼り合わせた継ぎ目が、外部から視認できる状態にあり、意匠上の美感に優れない、という改善すべき点があった。
そこで、上記改善すべき点を解決するために、本考案では、収納物を保存すると共に、意匠上の美観を損なわない装飾装置を提供する事を目的とする。
【考案の効果】
【０００４】
本考案に係る考案者は、様々な検討を重ねた結果、本考案に係る装飾装置を完成した。以下に、本考案における課題を解決するための手段及び考案の効果を示す。
本考案に係る装飾装置は、側部、収納物を収納するための収納空間を有する収納部であって、左右両端に前記側部が位置する収納部、を有する装飾装置であって、前記側部は、前記収納空間に位置する前記収納物を外部から視認するための収納物視認領域、及び、前記収納部を接続する接続領域を有し、前記接続領域は、外部から視認できない。
これにより、収納物を外部から視認できると共に、側部と収納部とが接続されている接続領域を外部から視認することはできない。従って、意匠上の美観を損なわない装飾装置を提供することができる。
【０００５】
本考案に係る装飾装置では、前記側部は、前記収納物視認領域以外の領域であって、少なくとも前記接続領域が不透明である。
これにより、容易に意匠上の美観を損なわない装飾装置を提供することができる。
本考案に係る装飾装置では、前記側部は、前記収納物視認領域が透明である。
これにより、意匠上の美観を損なわない装飾装置を提供することができる。
本考案に係る装飾装置では、前記側部は、前記収納物視認領域が開口である。
これにより、意匠上の美観を損なわない装飾装置を提供することができる。また、例えば、芳香性のある収納物を収納空間に配置することによって、芳香効果を発揮することができる装飾装置を提供することができる。
本考案に係る装飾装置では、前記側部は、前記収納物視認領域以外の領域が不透明である。
これにより、容易に意匠上の美観を損なわない装飾装置を提供することができる。
【考案を実施するための最良の形態】
【０００６】
以下、本考案の実施例を図面を用いて詳細に説明していく。
【実施例１】
【０００７】
以下、この考案の実施形態について説明する。
本考案に係る装飾装置１を図１を用いて説明する。装飾装置１は、収納物であるドライフラワー３及びドライフラワー３を収納する収納容器５を有している。
収納容器５の構成を図２を用いて説明する。収納容器５は、収納部１１と側部１３とを有している。
収納部１１は、透明な円筒形状を有している。収納部１１の両端部は、開口している。収納部１１の円筒形状が形成する内部空間Ｓ１１は、ドライフラワー３を収納物として配置するための収納空間として機能する。
【０００８】
側部１３は、左側部１３Ｌ及び右側部１３Ｒを有している。以下においては、特に明記しない限り、左側部１３Ｌ及び右側部１３Ｒと区別せずに、側部１３として説明する。
側部１３の構成を図３を用いて説明する。図３は、左側部１３Ｌを図２における矢印ａ１方向から見た図である。側部１３は、所定の厚さを有する八角形の透明な平板により形成されている。側部１３は、中央部に所定の形状の収納物視認領域Ｗ１３、及び、収納物視認領域Ｗ１３以外の不透明領域Ｎ１３を有している。収納物視認領域Ｗ１３は、側部１３に設けられた透明領域として形成され、また、不透明領域Ｎ１Ａは、側部１３の収納物視認領域Ｗ１３以外の表面のうち不透明な塗料によってコーティングされた領域として形成される。なお、図１〜図７においては、不透明領域については、斜線で示している。
収納物視認領域Ｗ１３は、透明であるため、収納空間Ｓ１１に配置された収納物を外部から視認することができる。収納物視認領域Ｗ１３は、収納部１１の端面が側部１３と接続されることによって形成される接続領域ａ１３に内包されている。また、不透明領域Ｎ１３は、接続領域ａ１３を内包する。このように、接続領域ａ１３を不透明領域Ｎ１３に内包することによって、少なくとも収納部１１と側部１３との接続領域ａ１３を外部から視認できないようにすることができる。これにより、装飾装置１の意匠上及び外観上の美観を向上させることができる。
【０００９】
また、収納物視認領域Ｗ１３と不透明領域Ｎ１３とのコントラストを大きくすることができる。よって、収納部１１の内部に配置される収納物の外部からの視認性を向上させることができる。
さらに、収納物視認領域Ｗ１３は、収納部１１の断面形状に制約されずに、自由に、外形の形状を決定することができる。つまり、星形形状、多角形形状等、自由な形状の収納物視認領域Ｗ１３を形成することができるので、外部からの視線を収納部１１の内部空間Ｓ１１に集めるような収納物視認領域Ｗ１３を形成することができる。また、装飾装置としての意匠上の美観を向上させることができる。
【００１０】
［その他の実施例］
（１）  側部１３
前述の実施例１においては、側部１３を八角形の平面板形状としたが、収納部１１の両端部に位置するものであれば、例示のものに限定されない。側部の形状については、例えば、図４に示すように三角形形状によって側部１３‘’を形成するようにしてもよい。また、側部１３を丸形、菱形等の形状としてもよい。
（２）  収納部１１
前述の実施例１においては、収納部１１は円筒形状としたが、収納物を収納する内部空間を有するものであれば、例示のものに限定されない。例えば、図４に示すように、断面が多角形である収納部１１’としてもよい。また、筒状であって、途中で湾曲する形状や途中で鍵型となる形状であってもよい。
また、収納部１１は両端のみ開口としたが、収納物を配置できるものであれば、例示のものに限定されない。例えば、図５に示すように収納物を配置するための受け皿形状の有能部１１’’としてもよい。
【００１１】
（３）  収納物視認領域Ｗ１３
前述の実施例１においては、収納物視認領域Ｗ１３は、側部１３においてコーティングされていない透明な領域により構成されるとしたが、内部空間Ｓ１３に配置された収納物を外部から視認できるものであれば、例示のものに限定されない。例えば、図５に示すように、側部１３’’に設けた所定の開口を収納物視認領域Ｗ１３’’としてもよい。
また、前述の実施例１においては、側部１３に対して収納物視認領域Ｗ１３を一つ設けることとしたが、例示のものに限定されない。例えば、収納物視認領域Ｗ１３を２つ設けるようにしてもよい。この場合、収納部１１を２つ側部１３に接続し、各収納部１１に対応して収納物視認領域Ｗ１３を設けるようにしてもよいし、一つの収納部１１に対して、二つの収納物視認領域Ｗ１３を設けるようにしてもよい。
さらに、前述の実施例１においては、側部１３に対して収納物視認領域Ｗ１３を中央に設けることとしたが、例示のものに限定されない。例えば、中央部からずれた位置に収納物視認領域Ｗ１３を設けるようにしてもよい。
【００１２】
（４）  不透明領域Ｎ１３
前述の実施例１においては、不透明領域Ｎ１３は、側部１３の一部を不透明な塗料によってコーティングされた領域としたが、接続領域ａ１３を外部から視認できないものであれば、例示のものに限定されない。例えば、側部１３を不透明な材質によって構成するようにしてもよい。この場合、不透明な材質を有する側部１３の一部を開口することによって収納物視認領域Ｗ１３を形成し、その他の部分を不透明領域Ｎ１３とすればよい。
また、前述の実施例１においては、側部１３のうち、収納物視認領域Ｗ１３以外の領域を不透明領域Ｎ１３としたが、少なくとも接続領域ａ１３が不透明であれば、例示のものに限定されない。例えば、図６に示すように、接続領域ａ１３を不透明領域Ｎ１３とするとともに、収納物視認領域Ｗ１３及び接続領域ａ１３以外の領域に不透明領域Ｎ１３’’’を設けるようにしてもよい。この場合、接続領域ａ１３における不透明領域Ｎ１３と、接続領域ａ１３以外の不透明領域Ｎ１３’’’とが、デザインとして調和するように配置すれば、意匠上の美観を得やすくなる。
（５）  収納物
前述の実施例１においては、収納物としてドライフラワー３を示したが、例示のものに限定されない。例えば、図４に示すように、ドライフラワー３とともに内部空間Ｓ１１の所定の領域ａ１５に芳香剤を収納するようにしてもよい。この場合、内部空間Ｓ１１に通ずる開口Ｗ１５を設ければ、装飾装置に芳香性を与えることができる。
【図面の簡単な説明】
【００１３】
【図１】本考案に係る装飾装置１の斜視図である。
【図２】図１に係る装飾装置１の収納部１１の斜視図である。
【図３】収納部１１の正面図である。
【図４】装飾装置の他の実施例を示す図である。
【図５】装飾装置の他の実施例を示す図である。
【図６】装飾装置の他の実施例を示す図である。
【図７】従来の装飾装置を示す図である。
【符号の説明】
【００１４】
１・・・・装飾装置
３・・・・ドライフラワー
５・・・・収納容器
１１、１１’、１１’’・・・・収納部
１３、１３’、１３’’、１３’’’・・・・側部
１３Ｌ・・・左側部
１３Ｒ・・・右側部
ａ１３・・・接続領域
Ｓ１１・・・内部空間
Ｗ１３、Ｗ１３’’・・・収納物視認領域
Ｎ１３、Ｎ１３’、Ｎ１３’’、Ｎ１３’’’・・・不透明領域
【図１】
0003146375.tif 000003
【図２】
0003146375.tif 000004
【図３】
0003146375.tif 000005
【図４】
0003146375.tif 000006
【図５】
0003146375.tif 000007
【図６】
0003146375.tif 000008
【図７】
0003146375.tif 000009